(57)【要約】【課題】本発明は、多数の電気プラグ（ｐｌｕｇ）またはＵＳＢ端子を挿入可能なコンセントが連続的に連結され、プラグを挿入するコンセントのプラグ挿入孔と隣接して配置される他のコンセントのプラグ挿入孔の間隔を調節することができるコンセントアセンブリーを開示する。【解決手段】本発明のコンセントアセンブリーは、多数の単位コンセントが互いにヒンジ結合されて形状が可変となるコンセントアセンブリーにおいて、単位コンセントは、多面体からなるボディー部と、ボディー部と一体となって、ボディー部の角部側に少なくとも一つ以上が提供されるヒンジ結合部と、ボディー部の一面にプラグまたはＵＳＢ端子が挿入される挿入孔部と、ボディー部とヒンジ結合部に提供され、挿入孔部に電源を供給する第１電源供給部材および第２電源供給部材と、を含む。【選択図】図４
2017503315.tif 000002
【特許請求の範囲】
【請求項１】
多数の単位コンセントが互いにヒンジ結合されて形状が可変となるコンセントアセンブリーにおいて、
前記単位コンセントは、
多面体からなるボディー部と、
前記ボディー部と一体となって、前記ボディー部の角部側に少なくとも一つ以上が提供されるヒンジ結合部と、
前記ボディー部の一面にプラグが挿入される挿入孔部と、
前記ボディー部と前記ヒンジ結合部に提供され、前記挿入孔部に電源を供給する第１電源供給部材および第２電源供給部材と、
を含むコンセントアセンブリー。
【請求項２】
前記多面体は、六面体からなる、請求項１に記載のコンセントアセンブリー。
【請求項３】
前記単位コンセントは、少なくとも一つ以上がＵＳＢ端子を挿入可能なＵＳＢ用コンセントからなる、請求項１に記載のコンセントアセンブリー。
【請求項４】
前記単位コンセントには、電源供給部が連結され、
前記電源供給部は、
多面体からなる電源ボディー部と、
前記電源ボディー部と一体からなり、前記電源ボディー部の角部側に提供される電源ヒンジ結合部と、
前記電源ボディー部に提供され、前記第１電源供給部材と前記第２電源供給部材に電源を供給または遮断するスイッチと、を含み、
前記電源ボディー部に提供された電源ヒンジ結合部は、前記単位コンセントに提供されたヒンジ結合部にヒンジ結合される、請求項１に記載のコンセントアセンブリー。
【請求項５】
前記ボディー部は、
ロウアーボディー部と、
前記ロウアーボディー部に結合されるアッパボディー部とを含み、
前記ヒンジ結合部は、
前記ロウアーボディー部の角部側で伸びるロウアーヒンジ結合部と、
前記アッパボディー部の角部側で伸びるアッパヒンジ結合部とを含み、
前記ロウアーヒンジ結合部と前記アッパヒンジ結合部は、
隣接して配置される他のロウアーヒンジ結合部とアッパヒンジ結合部とに締結部材で結合される、請求項１に記載のコンセントアセンブリー。
【請求項６】
前記第１電源供給部材は、
第１プラグ嵌合部と、両側の端子とを備え、
前記第１電源供給部材の端子は、
前記ヒンジ結合部に配置され、隣接する他の第１電源供給部材の端子と接触し、
前記第２電源供給部材は、
第２プラグ嵌合部と、両側の他の端子とを備え、
前記第２電源供給部材の端子は、
前記ヒンジ結合部に配置され、隣接する他の第２電源供給部材の端子と接触し、
前記第１電源供給部材の端子と前記第２電源供給部材の端子とは、前記ヒンジ結合部に提供される遮断部材により絶縁される、請求項１に記載のコンセントアセンブリー。
【請求項７】
前記遮断部材は、
円筒形状からなり、前記第１電源供給部材の端子と前記第２電源供給部材の端子との間に配置される、請求項６に記載のコンセントアセンブリー。
【請求項８】
前記ヒンジ結合部には、
前記第１電源供給部材の端子および前記第２電源供給部材の端子の一側にそれぞれウェーブワッシャーが配置され、
前記ウェーブワッシャーは、
前記第１電源供給部材の端子が隣接する他の第１電源供給部材の端子と接触状態を維持し、前記第２電源供給部材の端子が隣接する他の第２電源供給部材の端子と接触状態を維持する方向に作用する弾性力を有する、請求項６に記載のコンセントアセンブリー。
【請求項９】
前記第１電源供給部材の端子および前記第２電源供給部材の端子には、
一面に隣接する端子と接触力を高める突出部が提供される、請求項６に記載のコンセントアセンブリー。
【発明の詳細な説明】
【技術分野】
【０００１】
本発明は、多数の電気プラグ（ｐｌｕｇ）またはＵＳＢ端子を挿入可能なコンセントが連続的に連結され、プラグを挿入するコンセントのプラグ挿入孔と隣接して配置されるまた他のコンセントのプラグ挿入孔の間隔を調節することができるコンセントアセンブリーに関する。
【背景技術】
【０００２】
一般に電気コンセントは、電気プラグを挿入できる孔が連続して配置されている。電気コンセントに多数の電気プラグを挿入して電源を使用することができる。このような従来の電気コンセントは、電気プラグを挿入できる挿入孔が一定の間隔で固定されて比較的サイズの大きい電気プラグを連続してコンセントに挿入する場合、隣接して配置された電気プラグ挿入孔に挿入できなくなることがあり、使用が不便な問題点がある。
【発明の概要】
【発明が解決しようとする課題】
【０００３】
したがって、本発明は、前記問題点を解決するために提案されたものであり、本発明の目的は、コンセントにプラグまたはＵＳＢ端子を挿入する時、サイズの大きいプラグなどを連続して挿入することができ、使用上の利便性を図るコンセントアセンブリーを提供することにある。
【０００４】
本発明の他の目的は、簡単な構造からなって生産費用を減らしながらも、様々な形状に変形させて使用することができるコンセントアセンブリーを提供することにある。
【課題を解決するための手段】
【０００５】
このような本発明の目的を達成するために、本発明は、多数の単位コンセントが互いにヒンジ結合されて形状が可変するコンセントアセンブリーにおいて、
【０００６】
前記単位コンセントは、多面体からなるボディー部と、前記ボディー部と一体からなり、前記ボディー部の角部側に少なくとも一つ以上が提供されるヒンジ結合部と、前記ボディー部の一面にプラグが挿入される挿入孔部と、前記ボディー部と前記ヒンジ結合部に提供され、前記挿入孔部に電源を供給する第１電源供給部材および第２電源供給部材と、を含むコンセントアセンブリーを提供する。
【０００７】
前記多面体は、六面体からなることが好ましい。
【０００８】
前記単位コンセントには、電源供給部が連結され、前記電源供給部は、多面体からなる電源ボディー部と、前記電源ボディー部と一体からなり、前記電源ボディー部の角部側に提供される電源ヒンジ結合部と、前記電源ボディー部に提供され、前記第１電源供給部材と前記第２電源供給部材とに電源を供給または遮断するスイッチと、を含み、前記電源ボディー部に提供された電源ヒンジ結合部は、前記単位コンセントに提供されたヒンジ結合部にヒンジ結合されることが好ましい。
【０００９】
前記ボディー部は、ロウアーボディー部と、前記ロウアーボディー部に結合されるアッパボディー部とを含み、前記ヒンジ結合部は、前記ロウアーボディー部の角部側で伸びるロウアーヒンジ結合部と、前記アッパボディー部の角部側で伸びるアッパヒンジ結合部とを含み、前記ロウアーヒンジ結合部と前記アッパヒンジ結合部は、隣接して配置される他のロウアーヒンジ結合部とアッパヒンジ結合部とに締結部材で結合されることが好ましい。
【００１０】
前記第１電源供給部材は、第１プラグ嵌合部と、両側の端子とを備え、前記第１電源供給部材の端子は、前記ヒンジ結合部に配置され、隣接する他の第１電源供給部材の端子と接触し、前記第２電源供給部材は、第２プラグ嵌合部と、両側の他の端子とを備え、前記第２電源供給部材の端子は、前記ヒンジ結合部に配置され、隣接する他の第２電源供給部材の端子と接触し、前記第１電源供給部材の端子と前記第２電源供給部材の端子とは、前記ヒンジ結合部に提供される遮断部材により絶縁されることが好ましい。
【００１１】
前記遮断部材は、円筒形状からなり、前記第１電源供給部材の端子と前記第２電源供給部材の端子との間に配置されることが好ましい。
【００１２】
前記ヒンジ結合部には、前記第１電源供給部材の端子および前記第２電源供給部材の端子の一側にそれぞれウェーブワッシャーが配置され、前記ウェーブワッシャーは、前記第１電源供給部材の端子が隣接する他の第１電源供給部材の端子と接触状態を維持し、前記第２電源供給部材の端子が隣接する他の第２電源供給部材の端子と接触状態を維持する方向に作用する弾性力を有することが好ましい。
【００１３】
前記第１電源供給部材の端子および前記第２電源供給部材の端子には、一面に隣接する端子と接触力を高める突出部が提供されることが好ましい。
【発明の効果】
【００１４】
このような本発明は、コンセントをなすボディー部が多面体からなり、多面体の角部の両側にヒンジ結合部が提供されて、互いに隣接するボディー部に提供されたプラグまたはＵＳＢ端子挿入孔の間隔を調節することができ、サイズが比較的大きいプラグを連続してコンセントに挿入して使用することができる。したがって、本発明は、使用が便利な効果がある。
【００１５】
また、本発明は、ボディー部にヒンジ結合部が結合され、ヒンジ結合部と電源供給部材の構造が簡単で生産費用を減らす効果がある。
【００１６】
また、本発明は、部品を同一の構造で製作することができるため、部品数を減らして生産費用を減らす効果がある。
【００１７】
また、本発明は、多様な形状に変形が可能で空間配置の活用度を極大化させる効果がある。
【図面の簡単な説明】
【００１８】
【図１】本発明の実施例を説明するためにコンセントアセンブリーを長く繰り広げた状態を示した平面図である。
【図２】図１を分解して示した分解斜視図である。
【図３】本発明の実施例を説明するために図２の主要部であるコンセントアセンブリーのボディー部のうち、ロウアーボディー部を拡大して示した図面である。
【図４】本発明の実施例を説明するために図２の主要部であるコンセントアセンブリーのボディー部のうち、アッパボディー部を拡大して示した図面である。
【図５】本発明の実施例を説明するためにコンセントアセンブリーを短くたたんだ状態を示した平面図である。
【図６】本発明の実施例を説明するためにコンセントアセンブリーを他の形状に変形した図面である。
【図７】本発明の実施例を説明するためにコンセントアセンブリーをまた他の形状に変形した図面である。
【発明を実施するための形態】
【００１９】
以下、添付した図面を参照して本発明の実施例について本発明が属する技術分野における通常の知識を有する者が容易に実施することができるように詳しく説明する。しかし、本発明は、多様な異なる形態に実現することができ、ここで説明する実施例に限定されない。図面において、本発明を明確に説明するために、説明上不必要な部分は省略し、明細書全体にわたって同一または類似する構成要素については同一の参照符号を付した。
【００２０】
図１は、本発明の実施例を説明するための平面図であり、図２は、図１の分解斜視図であって、コンセントアセンブリーを示している。
【００２１】
本発明の実施例のコンセントアセンブリーは、電源供給部１、多数の単位コンセント３、５、７、９、そしてＵＳＢ端子用コンセント１１を含む。
【００２２】
本発明の実施例は、電源供給部１が省略された状態の単位コンセント３、５、７、９のみから構成され得る。また、本発明の実施例は、単位コンセント３、５、７、９に複数のＵＳＢ端子用コンセント１１が連続して連結されることもできる。また本発明の他の実施例として、単位コンセント３、５、７、９とＵＳＢ端子用コンセント１１とが互いに組合わせて構成されることも可能である。
【００２３】
本発明の実施例の説明では、電源供給部１と同一の構造を有する４個の単位コンセント３、５、７、９、そしてＵＳＢ端子用コンセント１１が順次に連結された構造を一例として説明する。また、本発明の実施例で単位コンセント３、５、７、９は同一の構造を有するため、便宜上、一つの単位コンセント３に符号を付与して説明する。
【００２４】
電源供給部１は、電源ボディー部１３、電源ヒンジ結合部１５、そしてスイッチ１７を含む。
【００２５】
電源ボディー部１３は、多面体からなることができる。本発明の実施例で電源ボディー部１３は、六面体からなることが好ましい。電源ボディー部１３は、角部側に電源ヒンジ結合部１５が提供される。つまり、電源ボディー部１３に提供される電源ヒンジ結合部１５は、図１に示したように、角部一側にのみ提供されることが好ましい。そして電源ボディー部１３と電源ヒンジ結合部１５は互いに一体になることができる。
【００２６】
また、電源ボディー部１３には、一面にスイッチ１７が提供される。そしてスイッチ１７には、家庭用電源コンセントに挿して電源を使用することができる電源プラグ（図示せず）が連結され得る。スイッチ１７は、このような電源プラグ（図示せず）を通じて供給される電源を開閉する役割を果たす。
【００２７】
一方、電源ボディー部１３は、図３と図４に示したように、電源ロウアーボディー部１３ａと電源アッパボディー部１３ｂとが結合された状態からなることができる。
【００２８】
電源ロウアーボディー部１３ａの一側には、電源ヒンジ結合部１５の一部である電源ロウアーヒンジ結合部１５ａが一体に提供され、電源アッパボディー部１３ｂの一側には、電源ヒンジ結合部１５の他の一部である電源アッパヒンジ結合部１５ｂが一体に提供され得る。
【００２９】
そして、スイッチ１７には、電源供給のための第１スイッチ端子１７ａと第２スイッチ端子１７ｂとが連結される。第１スイッチ端子１７ａは、電源ロウアーヒンジ結合部１５ａ側に配置され、第２スイッチ端子１７ｂは、電源アッパヒンジ結合部１５ｂ側に配置される。第１スイッチ端子１７ａおよび第２スイッチ端子１７ｂは、先端部に円盤形の形状からなると共に、中間部分が貫通した孔が提供される。
【００３０】
そして、図３と図４を基準にする時、第１スイッチ端子１７ａの下部および第２スイッチ端子１７ｂの上部側にウェーブワッシャー１９が配置される。ウェーブワッシャー１９は、第１スイッチ端子１７ａまたは第２スイッチ端子１７ｂに向かう方向に弾性力が加えられるようにワッシャーをなす面が屈曲面からなる。このようなウェーブワッシャー１９は、当然電源ボディー部１３のヒンジ結合部１５に配置される。
【００３１】
単位コンセント３は、ボディー部２１、第１ヒンジ結合部２３、第２ヒンジ結合部２４、挿入孔部２５、第１電源供給部材２７、そして第２電源供給部材２９を含む。
【００３２】
ボディー部２１は、多面体からなることができ、六面体からなることがより好ましい。ボディー部２１は、上述した電源ボディー部１３と同一の形状からなることが好ましい。ボディー部２１は、ロウアーボディー部２１ａとアッパボディー部２１ｂとが結合して一つのボディー部２１からなることができる。
【００３３】
ボディー部２１の向き合う角部両側には第１ヒンジ結合部２３と第２ヒンジ結合部２４とがボディー部２１と一体に提供され得る。
【００３４】
ボディー部２１の一面またはアッパボディー部２１ｂには別途のプラグ（Ｐｌｕｇ、図示せず）が挿入される挿入孔部２５が提供され得る。
【００３５】
本発明の実施例で挿入孔部２５は、場合によってはＵＳＢ端子が挿入される孔２６からなることも可能である。
【００３６】
第１ヒンジ結合部２３は、図３と図４に示したように、第１ロウアーヒンジ結合部２３ａと第１アッパヒンジ結合部２３ａとを含む。第１ロウアーヒンジ結合部２３ａは、ロウアーボディー部２１ａに結合され、第１アッパヒンジ結合部２３ａは、アッパボディー部２１ｂに結合される。
【００３７】
このような第１ヒンジ結合部２３は、電源ボディー部１３に提供された電源ヒンジ結合部１５の電源ロウアーヒンジ結合部１５ａと電源アッパヒンジ結合部１５ｂとの間に嵌合され得る。
【００３８】
そして第２ヒンジ結合部２４は、図３と図４に示したように、第２ロウアーヒンジ結合部２４ａと第２アッパヒンジ結合部２４ｂとを含む。第２ロウアーヒンジ結合部２４ａは、ロウアーボディー部２１ａに結合され、第２アッパヒンジ結合部２４ｂは、アッパボディー部２１ｂに結合される。
【００３９】
上述した第１ヒンジ結合部２３は、電源ヒンジ結合部１５に締結部材３１で締結され得る。そして第２ヒンジ結合部２４は、隣接して配置される他の単位コンセント５に提供される第１ヒンジ結合部に他の締結部材３１で締結され得る。
【００４０】
つまり、第１ヒンジ結合部２３は、電源ヒンジ結合部１５にヒンジ結合されて一定の角度に回転することができる。同様に、第２ヒンジ結合部２４も隣接して配置される他の単位コンセント５に提供された第１ヒンジ結合部にヒンジ結合されて一定の角度に回転することができる。
【００４１】
そして、第１電源供給部材２７と第２電源供給部材２９は、ボディー部２１と第１ヒンジ結合部２３および第２ヒンジ結合部２４の内部に提供される。
【００４２】
第１電源供給部材２７は、電気が通じる金属材質からなることができ、第１プラグ嵌合部３３と、両側の端子２７ａ、２７ｂとを含む。
【００４３】
第１プラグ嵌合部３３は、ボディー部２１に提供された挿入孔部２５の一側に配置されてプラグ（図示せず）が嵌合され得る。
【００４４】
第１電源供給部材２７の端子２７ａは、中間に孔が空いた円盤形からなることができ、第１スイッチ端子１７ａに接触された状態を維持する。第１電源供給部材２７の他の端子２７ｂは、第２ヒンジ結合部２４側に配置される。
【００４５】
第２電源供給部材２９は、第１電源供給部材２７と同様に電気が通じる材質からなり、第２プラグ嵌合部３５と、両側の他の端子２９ａ、２９ｂとを含む。
【００４６】
第２プラグ嵌合部３５は、ボディー部２１に提供された挿入孔部２５の他の一側に配置されてプラグが嵌合され得る。
【００４７】
第２電源供給部材２９の端子２９ａは、中間に孔か空いた円盤形からなり、第２スイッチ端子１７ｂに接触された状態を維持する。第２電源供給部材２９の他の端子２９ｂは、第２ヒンジ結合部２４側に配置される。
【００４８】
第１電源供給部材２７の端子２７ａと第２電源供給部材２９の端子２９ａとの間には、絶縁材からなる遮断部材３７が提供される。
【００４９】
遮断部材３７は、円筒形状からなることが好ましく、両端がそれぞれ第１電源供給部材２７の端子２７ａと第２電源供給部材２９の端子２９ａとに密着され得る。
【００５０】
そして、第１電源供給部材２７の端子２７ａの一面と第２電源供給部材２９の端子２９ａの一面とには、多数の突出部２７ｃ、２９ｃが提供される。
【００５１】
第１電源供給部材２７の端子２７ａに提供された突出部２７ｃは、第１スイッチ端子１７ａに向かう面で突出して配置されることが好ましい。そして第２電源供給部材２９の端子２９ａに提供された他の突出部２９ｃは、第２スイッチ端子１７ｂに向かう面で突出して配置されることが好ましい。
【００５２】
第１電源供給部材２７の端子２７ａに提供された突出部２７ｃは、第１電源供給部材２７の端子２７ａが第１スイッチ端子１７ａに点接触で密着した状態を維持して回転しながらも、通電性能を向上させることができる。
【００５３】
同様に、第２電源供給部材２９の端子２９ａに提供された他の突出部２９ｃは、第２電源供給部材２９の端子２９ａが第２スイッチ端子１７ｂに点接触で密着した状態を維持して回転しながらも、通電性能を向上させることができる。
【００５４】
本発明の実施例で単位コンセント３、５、７、９は、同一の構造であるため、残りの単位コンセント５、７、９の構造は、上述した単位コンセント３の構造の説明で代替することとする。
【００５５】
本発明の実施例は、単位コンセント９にＵＳＢ端子用コンセント１１が結合される。このようなＵＳＢ端子用コンセント１１の形状も上述した単位コンセント３と同一の構造からなることができ、ただし、第１ヒンジ結合部２３のように一つのヒンジ結合部のみが提供され得る。
【００５６】
このように構成される本発明の実施例は、ウェーブワッシャー１９が第１電源供給部材２７の端子２７ａと第１スイッチ端子１７ａとを、そして第２電源供給部材２９の端子２９ａと第２スイッチ端子１７ｂとを互いに密着させる役割を果たして通電が円滑に行われるようにしながらも、電源供給部１と単位コンセント３がヒンジ結合部を中心に自由に回転させることができる役割を果たす。同様に、単位コンセント３、５、７、９も互いにヒンジ結合部を中心に回転しながらも、それぞれ電気的に連結されるようにする。
【００５７】
このような本発明の実施例は、図１のように、繰り広げた状態では隣接して配置される単位コンセント３、５、７、９に提供された挿入孔２５（便宜上、同一の符号を付与する）がなす距離（Ｄ１）が最大限間隔を維持することができる。したがって、比較的サイズの大きいプラグを連続して簡単に挿して使用することができる。そして図５のように、ボディー部２１がなす面を互いに接触するように配置する場合、コンセントアセンブリーの全体長さは小さくなる。また、図６乃至図７に示したように、ヒンジ結合部を中心にボディー部を回転させてコンセントアセンブリーを任意の形状に作ることができる。
【００５８】
このような本発明の実施例は、比較的に簡単な構成を通じてコンセントアセンブリーの形状と長さを調節することができるため、使用が便利な利点がある。特に本発明の実施例は、電源供給部１と単位コンセント３、５、７、９を連結するヒンジ結合構造が簡単で生産費用を低めることができる。
【００５９】
また、本発明の実施例は、部品を同一の構造で製作することができるため、部品の種類を減らすことができる。
【００６０】
以上で、本発明の好ましい実施例について説明したが、本発明はこれに限定されるのではなく、特許請求の範囲と発明の詳細な説明および添付した図面の範囲内で多様に変形して実施することが可能であり、これも本発明の範囲に属するのは当然である。
【符号の説明】
【００６１】
１…電源供給部
３、５、７、９…単位コンセント
１１…ＵＳＢ端子用コンセント
１３…電源ボディー部
１５…電源ヒンジ結合部
１７…スイッチ
１９…ウェーブワッシャー
２１…ボディー部
２３…第１ヒンジ結合部
２４…第２ヒンジ結合部
２５…挿入孔部
２７…第１電源供給部材
２９…第２電源供給部材
３３…第１プラグ嵌合部
３５…第２プラグ嵌合部
３７…遮断部材
【図１】
2017503315.tif 000003
【図２】
2017503315.tif 000004
【図３】
2017503315.tif 000005
【図４】
2017503315.tif 000006
【図５】
2017503315.tif 000007
【図６】
2017503315.tif 000008
【図７】
2017503315.tif 000009
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
多数の単位コンセントが互いにヒンジ結合されて形状が可変となるコンセントアセンブリーにおいて、
前記単位コンセントは、
六面体からなるボディー部と、
前記ボディー部と一体となって、前記ボディー部の角部側に少なくとも一つ以上が提供されるヒンジ結合部と、
前記ボディー部の一面にプラグが挿入される挿入孔部と、
前記ボディー部と前記ヒンジ結合部に提供され、前記挿入孔部に電源を供給する第１電源供給部材および第２電源供給部材と、
を含み、
平面側からみて、前記ボディー部が他の複数のボディー部との間に配置される場合、前記ボディーには、互いに対向する対角線方向の頂点側に前記ヒンジ結合部が対をなして配置され、
前記単位コンセントには、電源供給部が連結され、
前記電源供給部は、
六面体からなる電源ボディー部と、
前記電源ボディー部と一体からなり、平面からみて前記電源ボディー部の頂点側に提供される電源ヒンジ結合部と、
前記電源ボディー部に提供され、前記第１電源供給部材と前記第２電源供給部材とに電源を供給または遮断するスイッチと、を含み、
前記電源ボディー部に提供された電源ヒンジ結合部は、前記ボディー部に提供されたヒンジ結合部にヒンジ結合される、コンセントアセンブリー。
【請求項２】
前記単位コンセントは、少なくとも一つ以上がＵＳＢ端子を挿入可能なＵＳＢ用コンセントからなる、請求項１に記載のコンセントアセンブリー。
【請求項３】
前記ボディー部は、
ロウアーボディー部と、
前記ロウアーボディー部に結合されるアッパボディー部とを含み、
前記ヒンジ結合部は、
前記ロウアーボディー部の角部側で伸びるロウアーヒンジ結合部と、
前記アッパボディー部の角部側で伸びるアッパヒンジ結合部とを含み、
前記ロウアーヒンジ結合部と前記アッパヒンジ結合部は、
隣接して配置される他のロウアーヒンジ結合部とアッパヒンジ結合部とに締結部材で結合される、請求項１に記載のコンセントアセンブリー。
【請求項４】
前記第１電源供給部材は、
第１プラグ嵌合部と、両側の端子とを備え、
前記第１電源供給部材の端子は、
前記ヒンジ結合部に配置され、隣接する他の第１電源供給部材の端子と接触し、
前記第２電源供給部材は、
第２プラグ嵌合部と、両側の他の端子とを備え、
前記第２電源供給部材の端子は、
前記ヒンジ結合部に配置され、隣接する他の第２電源供給部材の端子と接触し、
前記第１電源供給部材の端子と前記第２電源供給部材の端子とは、前記ヒンジ結合部に提供される遮断部材により絶縁される、請求項１に記載のコンセントアセンブリー。
【請求項５】
前記遮断部材は、
円筒形状からなり、前記第１電源供給部材の端子と前記第２電源供給部材の端子との間に配置される、請求項４に記載のコンセントアセンブリー。
【請求項６】
前記ヒンジ結合部には、
前記第１電源供給部材の端子および前記第２電源供給部材の端子の一側にそれぞれウェーブワッシャーが配置され、
前記ウェーブワッシャーは、
前記第１電源供給部材の端子が隣接する他の第１電源供給部材の端子と接触状態を維持し、前記第２電源供給部材の端子が隣接する他の第２電源供給部材の端子と接触状態を維持する方向に作用する弾性力を有する、請求項４に記載のコンセントアセンブリー。
【請求項７】
前記第１電源供給部材の端子および前記第２電源供給部材の端子には、
一面に隣接する端子と接触力を高める突出部が提供される、請求項４に記載のコンセントアセンブリー。
【手続補正２】
【補正対象書類名】図面
【補正対象項目名】図３
【補正方法】変更
【補正の内容】
【図３】
2017503315.tif 000010
【国際調査報告】
2017503315.tif 000011
2017503315.tif 000012
2017503315.tif 000013
2017503315.tif 000014